(57)【要約】【課題】内部空間での湿度上昇及び結露の発生を防止できる防湿筐体、及びこれを備える光投射装置を提供する。【解決手段】光投射装置は光学ユニットと防湿筐体とを備える。光学ユニットは投射面に光を投射する。防湿筐体は閉空間を構成する筐体部と仕切部とを備える。仕切部は閉空間を仕切って収納空間と内部空間とに分割する。収納空間には吸湿部材が収納され、内部空間には光学ユニットが格納される。仕切部の少なくとも一部の透湿性は筐体部の透湿性よりも高い。【選択図】図５
2017076655.tif 000002
【特許請求の範囲】
【請求項１】
閉空間を構成する筐体部と、前記閉空間を仕切る仕切部と、を備え、
前記閉空間は前記仕切部により、吸湿部材が収納される収納空間と、内部空間とに分割され、
前記仕切部の少なくとも一部の透湿性は前記筐体部の透湿性よりも高い防湿筐体。
【請求項２】
前記仕切部の少なくとも一部の厚さは前記筐体部の厚さよりも薄い請求項１に記載の防湿筐体。
【請求項３】
前記仕切部は前記筐体部の一部と一体に形成される請求項１又は請求項２に記載の防湿筐体。
【請求項４】
前記仕切部の少なくとも一部は前記筐体部よりも透湿性が高い材料を用いて形成される請求項１又は請求項２に記載の防湿筐体。
【請求項５】
前記筐体部は取り外し可能な第１筐体部を有し、
前記第１筐体部が取り外されると前記収納空間は開空間となる請求項１〜請求項４のいずれかに記載の防湿筐体。
【請求項６】
前記吸湿部材が前記第１筐体部の前記収納空間に面する主面上に配置される請求項５に記載の防湿筐体。
【請求項７】
前記筐体部は、前記第１筐体部が回動可能に取り付けられる第２筐体部を有する請求項５又は請求項６に記載の防湿筐体。
【請求項８】
前記吸湿部材を内包する防湿容器を開封可能な開封部材をさらに備え、前記開封部材が前記収納空間内に設けられる請求項１〜請求項７のいずれかに記載の防湿筐体。
【請求項９】
前記開封部材は突起部である請求項８に記載の防湿筐体。
【請求項１０】
前記筐体部は可撓性を有する部分を含む請求項８又は請求項９に記載の防湿筐体。
【請求項１１】
前記開封部材が前記吸湿部材に設けられる請求項８〜請求項１０のいずれかに記載の防湿筐体。
【請求項１２】
投射面に光を投射する光学ユニットと、
請求項１〜請求項１１のいずれかに記載の防湿筐体と、
を備え、
前記防湿筐体は吸湿部材を収納する閉空間を有し、前記閉空間は前記光学ユニットが格納される内部空間を含む光投射装置。
【発明の詳細な説明】
【技術分野】
【０００１】
本発明は、防湿筐体、及びこれを備える光投射装置に関する。
【背景技術】
【０００２】
レーザプロジェクタ装置などの光投射装置では、ＬＤ（Laser Diode）から出射された光をＭＥＭＳミラーで水平方向及び垂直方向に走査して投影面に映像を形成する。ＬＤの素子温度は周囲温度の変化又は自己発熱などに起因して変化するが、ＬＤの光出力はこのような温度変化に影響を受けて変化する。また、ＬＤは素子温度が高温になると光出力特性が劣化したり素子寿命が低下したりする。そのため、ＬＤは適宜冷却しながら使用されるが、高湿環境でＬＤを冷却するとＬＤに結露が生じることがある。
【０００３】
このような結露を防止するため、たとえば特許文献１では、樹脂材料を用いて形成される気密筐体に光学ユニットを吸湿部材とともに格納している。
【先行技術文献】
【特許文献】
【０００４】
【特許文献１】特開２００６−２７６６７１号公報
【発明の概要】
【発明が解決しようとする課題】
【０００５】
しかしながら、特許文献１のように気密筐体に光学ユニットを吸湿部材とともに格納しても、水蒸気はたとえば樹脂材料を透過する。そのため、わずかずつではあるが気密筐体内の水蒸気量は増加する。従って、常に気密筐体内を低い湿度で維持することはできない。また、吸湿部材の吸湿能力は有限であり、いずれは吸湿容量を超えてしまう。その場合、吸湿部材を交換する必要があるが、交換の際には気密部材を開封しなければならない。そのため、交換の度に、気密部材内の湿度が作業環境に応じた湿度に戻るため、気密部材内を低い湿度で維持することはできない。この交換作業又は光学ユニットを気密筐体に格納する作業を低湿環境下で行っても、気密筐体内の湿度上昇を軽減できるが、作業環境を低い湿度に維持することは非常に難しい。さらに、低湿環境下での作業を可能にするためには、設備及び作業工数の増加を要するため、製造コストが増大してしまう。
【０００６】
本発明は、このような状況を鑑みてなされたものであり、内部空間での湿度上昇及び結露の発生を防止できる防湿筐体、及びこれを備える光投射装置を提供することを目的とする。
【課題を解決するための手段】
【０００７】
上記目的を達成するために、本発明の一の態様による防湿筐体は、閉空間を構成する筐体部と、閉空間を仕切る仕切部と、を備え、閉空間は仕切部により、吸湿部材が収納される収納空間と、内部空間とに分割され、仕切部の少なくとも一部の透湿性は筐体部の透湿性よりも高い構成とされる。
【０００８】
この構成によれば、筐体部の閉空間を収納空間及び内部空間に仕切る仕切部の少なくとも一部の透湿性は、筐体部の透湿性よりも高くなっている。そのため、仕切部の少なくとも一部を透過する内部空間の水蒸気を収納空間内の吸湿部材で吸湿することができる。また、内部空間から収納空間に透過する水蒸気は筐体部の外部から内部空間に透過する水蒸気よりも多いため、内部空間での湿度の上昇を防止できる。さらに、吸湿性能の劣化などに起因して吸湿部材を交換する必要が生じた場合、収納空間を開空間にすれば、内部空間を開空間にすることなく、吸湿部材を交換できる。従って、吸湿部材を交換する際に、内部空間での湿度上昇を抑制又は防止でき、さらに内部空間への塵埃の混入も防止できる。従って、たとえば内部空間での温度変化などが発生しても、内部空間での湿度上昇及び結露の発生を防止することができる。
【０００９】
また、上記構成の防湿筐体において、仕切部の少なくとも一部の厚さは筐体部の厚さよりも薄い構成としてもよい。
【００１０】
この構成によれば、簡素な構成で仕切部の少なくとも一部の透湿性を筐体部よりも高くすることができる。そのため、仕切部の少なくとも一部の厚さに応じて、内部空間から収納空間に透過する水蒸気を増加させることができる。
【００１１】
また、上記構成の防湿筐体において、仕切部は筐体部の一部と一体に形成される構成としてもよい。
【００１２】
この構成によれば、筐体部を構成する部材の数を低減できる。従って、防湿筐体の組み立て作業を簡略化できるとともに、製造コストも軽減することができる。
【００１３】
或いは、上記構成の防湿筐体において、仕切部の少なくとも一部は筐体部よりも透湿性が高い材料を用いて形成される構成としてもよい。
【００１４】
この構成によれば、内部空間から収納空間に透過する水蒸気を筐体部を介して外部から内部空間に透過する水蒸気よりも多くすることができる。従って、仕切部の少なくとも一部を形成する材料の選択により、内部空間での湿度上昇及び結露の発生を防止する効果を向上させることができる。
【００１５】
また、上記構成の防湿筐体において、筐体部は取り外し可能な第１筐体部を有し、第１筐体部が取り外されると収納空間は開空間となる構成としてもよい。
【００１６】
この構成によれば、第１筐体部を用いて収納空間を開空間にすることができる。
【００１７】
さらに、上記構成の防湿筐体において、吸湿部材が第１筐体部の収納空間に面する主面上に配置される構成としてもよい。
【００１８】
この構成によれば、吸湿部材が第１筐体部に配置されるため、第１筐体部を取り外す際、吸湿部材を収納空間から容易に取り出すことができる。
【００１９】
さらに、上記構成の防湿筐体において、筐体部は第１筐体部が回動可能に取り付けられる第２筐体部をさらに有する構成としてもよい。
【００２０】
この構成によれば、第１筐体部の回動により収納空間を開空間にすることができる。また、この際、第１筐体部を第２筐体部から分離しないようにできる。よって、収納空間に収納される吸湿部材の交換作業を簡便に行うことができる。
【００２１】
また、上記構成の防湿筐体は、吸湿部材を内包する防湿容器を開封可能な開封部材をさらに備え、開封部材が収納空間内に設けられる構成としてもよい。
【００２２】
この構成によれば、収納空間内で防湿容器を開封して吸湿部材の吸湿を開始させることができる。そのため、大気中での暴露の際に消費されてしまう吸湿部材の無用な吸湿を防止でき、吸湿部材の吸湿性能を安定させてその信頼性を向上させることもできる。よって、吸湿部材は内部空間から収納空間に透過する水蒸気を効率良く安定して吸湿できるので、内部空間での湿度上昇及び結露の発生を防止することができる。
【００２３】
また無用な吸湿量を考慮した吸湿性能を有する吸湿部材を選択しなくてもよいため、より小型且つ安価な吸湿部材を用いることができる。また、防湿筐体を組み立てる作業環境の影響を防止できるため、低湿環境設備などが不要になる。よって、安価な防湿筐体を実現することができる。
【００２４】
さらに、上記構成の防湿筐体において、開封部材は突起部である構成としてもよい。この突起部はたとえば防湿容器に対向して配置できる。
【００２５】
この構成によれば、突起部が防湿容器を貫通することにより、防湿容器を開封できる。また、吸湿部材を内包する防湿容器の外観はその開封前後で変化する（たとえば開口が形成される）。従って、使用後の吸湿部材を誤って使用してしまうなど問題を生じ難くすることができる。
【００２６】
また、上記構成の防湿筐体において、筐体部は可撓性を有する部分を含む構成としてもよい。
【００２７】
この構成によれば、筐体部を組み立てた後、筐体部の可撓性を有する部分を変形させることにより、開封部材により防湿容器を開封できる。従って、吸湿部材の吸湿を任意のタイミングで開始させることができる。
【００２８】
また、上記構成の防湿筐体において、開封部材が吸湿部材に設けられる構成としてもよい。
【００２９】
この構成によれば、防湿筐体に開封部材を新たに設ける必要が無いので、防湿筐体を構成する部材の数を低減することができる。
【００３０】
また、上記目的を達成するために、本発明の一の態様による光投射装置は、投射面に光を投射する光学ユニットと、上述の防湿筐体と、を備え、防湿筐体は吸湿部材を収納する閉空間を有し、閉空間は光学ユニットが格納される内部空間を含む構成とされる。
【００３１】
この構成によれば、上述のような構成の防湿筐体の閉空間に吸湿部材が収納され、この閉空間に含まれる内部空間に光学ユニットが格納される。内部空間の水蒸気は収納空間内の吸湿部材で吸湿させることができる。また、内部空間から収納空間に透過する水蒸気は防湿筐体の外部から内部空間に透過する水蒸気よりも多いため、内部空間内の湿度の上昇を防止できる。さらに、吸湿性能の劣化などに起因して吸湿部材を交換する必要が生じた場合、収納空間を開空間にすれば吸湿部材を交換できる。すなわち、内部空間を開空間にする必要が無い。従って、吸湿部材を交換する際に、内部空間での湿度上昇を抑制又は防止でき、さらに内部空間内への塵埃の混入も防止できる。従って、たとえば内部空間内の温度変化などが発生しても、内部空間での湿度上昇及び結露の発生を防止することができる。
【発明の効果】
【００３２】
本発明によれば、内部空間での湿度上昇及び結露の発生を防止できる防湿筐体、及びこれを備える光投射装置を提供することができる。
【図面の簡単な説明】
【００３３】
【図１】ＨＵＤ装置の概略図である。
【図２】プロジェクタユニットの構成例を示すブロック図である。
【図３】第１実施形態に係る防湿筐体の構成例を示す外観斜視図である。
【図４】第１実施形態に係る防湿筐体の構成例を示す分解斜視図である。
【図５】第１実施形態に係る防湿筐体の構成例を示す断面図である。
【図６】第１実施形態に係る防湿筐体の他の構成例を示す断面図である。
【図７】第２実施形態に係る防湿筐体の構成例を示す外観斜視図である。
【図８】第３実施形態に係る防湿筐体の構成例を示す外観斜視図である。
【図９】第４実施形態に係る防湿筐体の構成例を示す断面図である。
【図１０】吸湿部材を内包する防湿容器の構成例を示す断面斜視図である。
【図１１】第４実施形態に係る防湿筐体の他の構成例を示す断面図である。
【図１２】吸湿部材を内包する防湿容器の他の構成例を示す断面斜視図である。
【図１３】第１適用例に係る防湿筐体の構成例を示す外観斜視図である。
【図１４】第１適用例に係る防湿筐体の構成例を示す分解斜視図である。
【図１５Ａ】第１適用例に係る防湿筐体の組み立て前の状態を示す断面図である。
【図１５Ｂ】第１適用例に係る防湿筐体の組み立て後の状態を示す断面図である。
【図１６Ａ】第２適用例に係る防湿筐体の組み立て前の状態の要部を局所的に示す断面斜視図である。
【図１６Ｂ】第２適用例に係る防湿筐体の組み立て後の状態の要部を局所的に示す断面斜視図である。
【図１７Ａ】第３適用例において防湿容器を開封する前の防湿筐体の状態を示す断面図である。
【図１７Ｂ】第３適用例において防湿容器を開封した後の防湿筐体の状態を示す断面図である。
【図１８】吸湿部材を内包する防湿容器の他の構成例を示す断面斜視図である。
【発明を実施するための形態】
【００３４】
以下に、本発明の実施形態について、図面を参照し、車両用のヘッドアップディスプレイ装置１００を例に挙げて説明する。なお、以下では、ヘッドアップディスプレイ装置１００をＨＵＤ（Head-Up Display）装置１００と呼ぶ。
【００３５】
＜第１実施形態＞
図１は、ＨＵＤ装置１００の概略図である。本実施形態のＨＵＤ装置１００は、車両２００に搭載されている。ＨＵＤ装置１００は、プロジェクタユニット１０１（光投射装置）から走査レーザ光３００（投射光）を車両２００のフロントガラス２０１に向けて投射し、投射像をユーザの視野内に重ねて表示する表示装置である。なお、図１において、一点鎖線の矢印４００は車両２００の運転席に座っているユーザの視線を示している。また、ＨＵＤ装置１００は、車両に限らず、他の乗り物（例えば航空機等）に搭載されてもよい。
【００３６】
図１に示すように、フロントガラス２０１の内面にはコンバイナ１０２が貼り付けられている。このコンバイナ１０２は、プロジェクタユニット１０１の投射像をユーザの視野内に表示するための被投射部材であり、たとえばハーフミラーなどの半透過性の反射材料を用いて形成されている。プロジェクタユニット１０１からコンバイナ１０２に走査レーザ光３００が投射されることによって、コンバイナ１０２の投射面１０２ａに虚像が形成される。このために、車両２００の前方（すなわち視線４００の方向）を見ているユーザは、車両２００の前方の外界像と、プロジェクタユニット１０１から投射される投射画像とを同時に視認することができる。
【００３７】
次に、プロジェクタユニット１０１について説明する。図２は、プロジェクタユニット１０１の構成例を示すブロック図である。図２に示すように、第１実施形態において、プロジェクタユニット１０１は、防湿筐体１と、光学ユニット２と、を備えている。
【００３８】
防湿筐体１は光学ユニット２を搭載している。なお、防湿筐体１の更なる構成は後に詳述する。防湿筐体１には、光学ユニット２から出射される走査レーザ光３００を外部に出射するための窓部１ａ（光透過窓）が形成されている。窓部１ａは、たとえば、ガラス又は透光性の樹脂材料などを用いて形成されている。
【００３９】
光学ユニット２は光学エンジン部２ａとＭＥＭＳエンジン部２ｂとを含んで構成される。光学エンジン部２ａは、レーザダイオード２１ａ〜２１ｃと、光学系２２と、サーミスタ２３と、冷却部２４ａ〜２４ｃと、を有している。なお、以下では、レーザダイオード２１ａ〜２１ｃをそれぞれＬＤ（Laser Diode）２１ａ〜２１ｃと呼ぶ。
【００４０】
ＬＤ２１ａは青色レーザ光を出射する発光素子である。ＬＤ２１ｂは緑色レーザ光を出射する発光素子である。ＬＤ２１ｃは赤色レーザ光を出射する発光素子である。
【００４１】
光学系２２は、コリメータレンズ２２１ａ〜２２１ｃと、ビームスプリッタ２２２ａ、２２２ｂと、集光レンズ２２３と、を含んで構成され、ＬＤ２１ａ〜２１ｃの出射光をＭＥＭＳエンジン部２ｂに導く。コリメータレンズ２２１ａ〜２２１ｃは、各ＬＤ２１ａ〜２１ｃから出射されるレーザ光を平行光に変換する光学部材である。ビームスプリッタ２２２ａ、２２２ｂは、たとえばダイクロイックミラーなどの光学部材であり、特定の波長の光を反射し、他の波長の光を透過する。集光レンズ２２３は、ビームスプリッタ２２２ａ、２２２ｂを経て入射する各レーザ光を収束する光学部材である。
【００４２】
ＬＤ２１ａから出射される青色レーザ光はコリメータレンズ２２１ａにより平行光に変換されてビームスプリッタ２２２ａで反射され、集光レンズ２２３に至る。ＬＤ２１ｂから出射される緑色レーザ光は、コリメータレンズ２２１ｂにより平行光に変換されてビームスプリッタ２２２ｂで反射され、ビームスプリッタ２２２ａを透過して集光レンズ２２３に至る。ＬＤ２１ｃから出射される赤色レーザ光は、コリメータレンズ２２１ｃにより平行光に変換され、ビームスプリッタ２２２ａ、２２２ｂを透過して集光レンズ２２３に至る。これらのレーザ光は集光レンズ２２３で収束されてＭＥＭＳエンジン部２ｂに入射する。
【００４３】
サーミスタ２３は、各ＬＤ２１ａ〜２１ｃの周囲の環境温度を計測するために、防湿筐体１の内部に設けられる温度検出部である。ＬＤ２１ａ〜２１ｃの素子温度はサーミスタ２３の計測結果に基づいて推定される。サーミスタ２３は図２ではＬＤ２１ｃの近傍に配置されている。これは、各ＬＤ２１ａ〜２１ｃのうち、赤色のレーザ光を出射するＬＤ２１ｃの保証温度範囲の上限値（最大定格値）が最も低いためである。こうすれば、温度の最大定格値が最も低いＬＤ２１ｃをより確実に保護することができる。なお、サーミスタ２３の数は、図２では１つであるが、複数であってもよい。たとえばサーミスタ２３が各ＬＤ２１ａ〜２１ｃの近傍に各々配置されてもよい。
【００４４】
冷却部２４ａ〜２４ｃは、サーミスタ２３の計測結果に基づいて、各ＬＤ２１ａ〜２１ｃを冷却する。各冷却部２４ａ〜２４ｃは、たとえば、ペルチェ効果を利用して各ＬＤ２１ａ〜２１ｃを冷却するペルチェ素子、放熱用のヒートシンクなどを用いて構成することができる。
【００４５】
ＭＥＭＳエンジン部２ｂはＭＥＭＳミラーデバイス２５を有する。ＭＥＭＳミラーデバイス２５は、集光レンズ２２３から入射する光を光反射面で反射して、その反射光を投射面１０２ａに投射する。この際、ＭＥＭＳミラーデバイス２５は、走査レーザ光３００及びその光軸を駆動して投射面１０２ａ上を走査させる。なお、ＭＥＭＳエンジン部２ｂは、実際には、水平走査用のＭＥＭＳミラーデバイス２５と、垂直走査用のＭＥＭＳミラーデバイス２５とを有しているが、図２では、それらを１つにまとめて図示している。
【００４６】
次に、プロジェクタユニット１０１はさらに、外筐体５１と、ＭＥＭＳドライバ５２と、ＬＤドライバ５３と、電源５４と、電源制御部５５と、操作部５６と、入出力Ｉ／Ｆ５７と、記憶部５８と、ＣＰＵ５９と、を備えている。
【００４７】
外筐体５１は防湿筐体１、ＭＥＭＳドライバ５２、ＬＤドライバ５３、電源５４、電源制御部５５、操作部５６、入出力Ｉ／Ｆ５７、記憶部５８、及びＣＰＵ５９を搭載している。また、外筐体５１には、光出射口５１ａが形成されている。防湿筐体１の窓部１ａを透過した走査レーザ光３００はさらに光出射口５１ａを通ってコンバイナ１０２に出射される。なお、この光出射口５１ａは開口であってもよいが、たとえばガラス又は透光性の樹脂材料などを用いて形成されることが望ましい。こうすれば、外筐体５１の内部への塵埃及び水分（たとえば水滴、水気を含む空気）などの侵入を防止することができる。
【００４８】
ＭＥＭＳドライバ５２は、ＣＰＵ５９から出力される制御信号に基づいて、ＭＥＭＳミラーデバイス２５の駆動を制御する駆動制御部である。たとえば、ＭＥＭＳドライバ５２は、ＣＰＵ５９からの水平同期信号に応じて水平走査用のＭＥＭＳミラーデバイス２５を駆動させ、レーザ光３００の反射方向を水平方向に偏向させる。また、ＭＥＭＳドライバ５２は、ＣＰＵ５９からの垂直同期信号に応じて垂直走査用のＭＥＭＳミラーデバイス２５を駆動させ、レーザ光３００の反射方向を垂直方向に偏向させる。
【００４９】
ＬＤドライバ５３は、各ＬＤ２１ａ〜２１ｃの発光及び光出力などの駆動制御を行うＬＤ駆動部である。電源５４は、たとえば車両２００の蓄電池（不図示）などの電力源から電力の供給を受ける電力供給部である。電源制御部５５は、電源５４から供給される電力をプロジェクタユニット１０１の各構成要素に応じた所定の電圧値及び電流値に変換し、変換された電力を各構成要素に供給する。操作部５６は、ユーザの操作入力を受け付ける入力ユニットである。入出力Ｉ／Ｆ５７は外部装置と有線通信又は無線通信するための通信インターフェースである。
【００５０】
記憶部５８は、不揮発性の記憶媒体であり、たとえば、プロジェクタユニット１０１の各構成要素により用いられるプログラム及び制御情報を格納している。また、記憶部５８は、投射面１０２ａに投射する映像情報なども格納している。
【００５１】
ＣＰＵ５９は、記憶部５８に格納されたプログラム及び制御情報などを用いて、プロジェクタユニット１０１の各構成要素を制御する制御部である。ＣＰＵ５９は、図２に示すように、映像処理部５９ａと、光出力制御部５９ｂと、を有している。
【００５２】
映像処理部５９ａは、記憶部５８に格納されたプログラム、入出力Ｉ／Ｆ５７から入力される情報、及び記憶部５８に格納された情報などに基づく映像情報を生成する。さらに、映像処理部５９ａは、生成した映像情報を赤色（Ｒ）、緑色（Ｇ）、青色（Ｂ）の３色の映像データに変換する。変換された３色の映像データは光出力制御部５９ｂに出力される。
【００５３】
光出力制御部５９ｂは、３色の映像データに基づく各ＬＤ２１ａ〜２１ｃの発光制御信号を生成し、ＬＤドライバ５３に出力する。各発光制御信号に基づいて各ＬＤ２１ａ〜２１ｃから出射されるレーザ光がＭＥＭＳミラーデバイス２５によって２次元的に走査されることにより、映像データに基づく映像が投射面１０２ａに投射される。
【００５４】
次に、防湿筐体１の詳細な構成について説明する。図３は、第１実施形態に係る防湿筐体１の構成例を示す外観斜視図である。図４は、第１実施形態に係る防湿筐体１の構成例を示す分解斜視図である。図５は、第１実施形態に係る防湿筐体１の断面図である。なお、図５は、図３のＡ−Ａ線に沿う断面を示している。また、図５では、図を見易くするために、防湿筐体１の内部に収納される構成要素の一部（たとえば光学ユニット２など）の図示は割愛している。
【００５５】
防湿筐体１は、閉空間Ｓを構成する筐体本体１０と、仕切部１４と、パッキン１５ａ、１５ｂと、螺子１９ａ、１９ｂと、を有している。筐体本体１０は蓋部材１１、上筐体１２、及び下筐体１３を含んで構成される筐体部である。
【００５６】
蓋部材１１は、たとえば金属材料を用いて形成される第１筐体部であり、上筐体１２に対して取り外し可能である。蓋部材１１は、螺子１９ａが蓋部材１１の貫通孔１１１を通じて上筐体１２の螺子孔１２０に螺合されることにより、パッキン１５ａを介して上筐体１２に螺設される。なお、蓋部材１１を形成する材料は、上述の例示に限定されず、剛性を有して気体（特に湿気となる水蒸気）の透過性が非常に低い材料であればよい。
【００５７】
上筐体１２は、窓部１ａが形成された第２筐体部である。上筐体１２は、螺子１９ｂが上筐体１２の貫通孔１２１を通じて下筐体１２の螺子孔１３０に螺合されることにより、パッキン１５ｂを介して下筐体１３に螺設される。下筐体１３は、光学ユニット２が配置される第３筐体部である。上筐体１２及び下筐体１３は、剛性を有する成形体であり、たとえばＰＰＳ（polyphenylenesulfide）にガラスフィラーを含有した複合樹脂材料で形成される。
【００５８】
また、筐体本体１０は、蓋部材１１、上筐体１２、及び下筐体１３が組み立てられた状態において、その内部に閉空間Ｓを有する。この閉空間Ｓは、筐体本体１０に囲まれており、仕切部１４によって収納空間Ｓａと内部空間Ｓｂとに分割されている（図５参照）。
【００５９】
収納空間Ｓａは、吸湿部材１６を収納する空間であり、蓋部材１１が上筐体１２に螺設されることにより開閉可能に閉じられる。そのため、内部空間Ｓｂを開空間にすることなく、吸湿部材１６は収納空間Ｓａを開空間にして交換することができる。なお、吸湿部材１６は、図４及び図５では仕切部１４の収納空間Ｓａに面する主面１４ａ上に配置されているが、蓋部材１１の収納空間Ｓａに面する主面１１ａ（以下、裏面１１ａと呼ぶ。）に取り付けられていてもよい。吸湿部材１６を蓋部材１１に取り付けると、蓋部材１１の螺設を解除して上筐体１２から取り外す際に、蓋部材１１とともに吸湿部材１６も取り外すことができる。従って、吸湿部材１６の交換作業がし易くなる。
【００６０】
内部空間Ｓｂは、光学ユニット２などを格納する空間であり、上筐体１２がパッキン１５ｂを介して下筐体１３に螺設されることによって密閉される。
【００６１】
なお、収納空間Ｓａ及び内部空間Ｓｂは、図５では上筐体１２の内部に形成される空間となっているが、本発明はこの例示に限定されない。収納空間Ｓａは、防湿筐体１が組み立てられた状態において蓋部材１１及び上筐体１２の少なくとも一方の内部に形成される空間であればよい。すなわち、収納空間Ｓａはたとえば、蓋部材１１の内部に形成される空間であってもよいし、蓋部材１１の内部に形成される空間と上筐体１２の内部に形成される空間とで構成されてもよい。また、内部空間Ｓｂは、防湿筐体１が組み立てられた状態において上筐体１２及び下筐体１３の少なくとも一方の内部に形成される空間であればよい。すなわち、内部空間Ｓｂはたとえば、上筐体１２の内部に形成される空間と下筐体１３の内部に形成される空間とで構成されてもよいし、下筐体１３の内部に形成される空間（図６参照）であってもよい。
【００６２】
次に、仕切部１４は、上筐体１２の内部に設けられ、収納空間Ｓａと内部空間Ｓｂとに閉空間Ｓを仕切る。なお、仕切部１４は、本体筐体１０の一部（図５では上筐体１２）と一体に形成される部材であってもよいし、該本体筐体１０とは別体の部材であってもよい。
【００６３】
仕切部１４の一方の主面１４ａは収納空間Ｓａに面し、他方の主面１４ｂは内部空間Ｓｂに面している。仕切部１４の厚さは筐体本体１０（特に閉空間Ｓに面する部分）の厚さよりも薄くなっている（図５参照）。そのため、仕切部１４の透湿性（すなわち水蒸気の透過性）は筐体本体１０の透湿性よりも高くなっている。言い換えると、本体筐体１０の防湿性（すなわち水蒸気などの湿気を防ぐ特性）は仕切部１４の防湿性よりも高くなっている。
【００６４】
なお、透湿性を筐体本体１０よりも高くする構成は、図５のように仕切部１４の全体に採用されてもよいし、仕切部１４の一部（特に、吸湿部材１６が設置される部分を含む一部）に採用されてもよい。
【００６５】
また、仕切部１４の透湿性を筐体本体１０よりも高くする構成は図５の例示に限定されない。たとえば、仕切部１４の少なくとも一部は筐体本体１０よりも透湿性の高い材料（又は防湿性の低い材料）を用いて形成されてもよい。或いは、内部空間Ｓｂの密閉性が若干低下することになるが、仕切部１４の少なくとも一部は通気構造を有していてもよい。さらに、通気構造は内部空間Ｓｂから収納空間Ｓａに連通する微細な隙間を含んでいてもよい。このような通気構造は、たとえば、仕切部１４の厚さ方向に微細な貫通孔を形成したり、多孔質材料を用いて仕切部１４の少なくとも一部を形成したりすることにより実現できる。
【００６６】
パッキン１５ａ、１５ｂは、ブチルゴムを用いて形成される環状の弾性部材である。防湿筐体１を組み立てた状態において、パッキン１５ａは蓋部材１１及び上筐体１２間に挟み込まれ、収納空間Ｓａを密閉してその気密性を維持する。また、パッキン１５ｂは上筐体１２及び下筐体１３間に挟み込まれて、内部空間Ｓｂを密閉してその気密性を維持する。なお、パッキン１５ａ、１５ｂの材料はそれぞれ、防湿筐体１を組み立てた状態において収納空間Ｓａ、内部空間Ｓｂの気密性を維持できる材料であればよい。たとえば、パッキン１５ａ、１５ｂはそれぞれ、他のゴム材料を含む樹脂材料で形成されていてもよい。
【００６７】
吸湿部材１６は、収納空間Ｓａ内に配置され、収納空間Ｓａ内にて自身に接する気体に含まれる水蒸気を吸湿する。吸湿部材１６の材料および形状は、特に限定されないが、たとえばゼオライト系の複合樹脂材料のペレットを固めて成形した板状の部材を用いることができる。なお、吸湿部材１６を設置する手段は特に限定されない。吸湿部材１６はたとえば、接着剤を用いて張り付けられてもよいし、ねじ止めによって螺設されてもよい。
【００６８】
以上に説明した本実施形態によれば、プロジェクタユニット１０１は光学ユニット２と防湿筐体１とを備える。光学ユニット２は投射面１０２ａに投射光３００を投射する。防湿筐体１は吸湿部材１６を収納する閉空間Ｓを有し、閉空間Ｓは光学ユニット２が格納される内部空間Ｓｂを含む。
【００６９】
また、防湿筐体１は、閉空間Ｓを構成する筐体本体１０と、閉空間Ｓを仕切る仕切部１４とを備える。閉空間Ｓは仕切部１４により、吸湿部材１６が収納される収納空間Ｓａと、内部空間Ｓｂとに分割される。また、仕切部１４の少なくとも一部の透湿性は筐体本体１０の透湿性よりも高い。
【００７０】
これらの構成によれば、筐体本体１０の閉空間Ｓに吸湿部材１６が収納され、この閉空間Ｓに含まれる内部空間Ｓｂに光学ユニット２が格納される。また、筐体本体１０の閉空間Ｓを収納空間Ｓａ及び内部空間Ｓｂに仕切る仕切部１４の少なくとも一部の透湿性は、筐体本体１０の透湿性よりも高くなっている。そのため、仕切部１４の少なくとも一部を透過する内部空間Ｓｂの水蒸気を収納空間Ｓａ内の吸湿部材１６で吸湿することができる。また、内部空間Ｓｂから収納空間Ｓａに透過する水蒸気は筐体本体１０（または防湿筐体１）の外部から内部空間Ｓｂに透過する水蒸気よりも多いため、内部空間Ｓｂでの湿度の上昇を防止できる。さらに、吸湿性能の劣化などに起因して吸湿部材１６を交換する必要が生じた場合、収納空間Ｓａを開空間にすれば、内部空間Ｓｂを開空間にすることなく、吸湿部材１６を交換できる。従って、吸湿部材１６を交換する際に、内部空間Ｓｂでの湿度上昇を抑制又は防止でき、さらに内部空間Ｓｂへの塵埃の混入も防止できる。従って、たとえば内部空間Ｓｂでの温度変化などが発生しても、内部空間Ｓｂでの湿度上昇及び結露の発生を防止することができる。
【００７１】
また、上記構成の防湿筐体１において、仕切部１４の少なくとも一部の厚さは筐体本体１０の厚さよりも薄い構成とされる。
【００７２】
この構成によれば、簡素な構成で仕切部１４の少なくとも一部の透湿性を筐体本体１０よりも高くできる。そのため、仕切部１４の少なくとも一部の厚さに応じて、内部空間Ｓｂから収納空間Ｓａに透過する水蒸気を増加させることができる。
【００７３】
また、上記構成の防湿筐体１において、仕切部１４は上筐体１２（すなわち筐体本体１０の一部）と一体に形成される構成とされる。
【００７４】
この構成によれば、防湿筐体１を構成する部材の数を低減できる。従って、防湿筐体１の組み立て作業を簡略化できるとともに、製造コストも軽減することができる。
【００７５】
或いは、上記構成の防湿筐体１において、仕切部１４の少なくとも一部は筐体本体１０よりも透湿性が高い材料を用いて形成される構成とされる。
【００７６】
この構成によれば、内部空間Ｓｂから収納空間Ｓａに透過する水蒸気を筐体本体１０を介して外部から内部空間Ｓｂに透過する水蒸気よりも多くすることができる。従って、仕切部１４の少なくとも一部を形成する材料の選択により、内部空間Ｓｂでの湿度上昇及び結露の発生を防止する効果を向上させることができる。
【００７７】
また、上記構成の防湿筐体１において、筐体本体１０は取り外し可能な蓋部材１１を有し、蓋部材１１が取り外されると収納空間Ｓａは開空間となる構成とされる。
【００７８】
この構成によれば、蓋部材１１を用いて収納空間Ｓａを開空間にすることができる。
【００７９】
さらに、上記構成の防湿筐体１は、吸湿部材１６が蓋部材１１の裏面１１ａ（収納空間Ｓａに面する主面１１ａ）上に配置される構成としてもよい。
【００８０】
この構成によれば、吸湿部材１６が蓋部材１１に配置されるため、収納空間Ｓａを開ける際、吸湿部材１６を収納空間Ｓａから容易に取り出すことができる。
【００８１】
＜第２実施形態＞
次に、第２実施形態について説明する。なお、以下では、第１実施形態と異なる構成について説明する。また、第１実施形態と同様の構成要素には同じ符号を付し、その説明を省略する。
【００８２】
図７は、第２実施形態に係る防湿筐体１の構成例を示す外観斜視図である。なお、図７では、要部の構成を見易くするために、下筐体１３及び螺子１９ｂなどの図示は割愛している。
【００８３】
図７に示すように、蓋部材１１の一方の端部はヒンジ１２３を介して回動可能に上筐体１２に取り付けられている。蓋部材１１の他方の端部には掛止部１１２が形成されている。また、上筐体１２には、掛止部１１２を掛止可能なリブ１２２が形成されている。掛止部１１２をリブ１２２に掛止すること（所謂スナップフィット）により、蓋部材１１はパッキン１５ａを上筐体１２に圧接して取り付けられ、収納空間Ｓａを閉じることができる。また、掛止部１１２及びリブ１２２間の掛止を解除して、ヒンジ１２３を介して蓋部材１１を回動することにより、収納空間Ｓａを開けることできる。
【００８４】
こうすれば、蓋部材１１は、掛止部１１２及びリブ１２２間の掛止により収納空間Ｓａを開閉可能に閉じることができる。また、上記掛止を解除すれば、収納空間Ｓａを容易に開けることもできる。さらに、収納空間Ｓａを開けても、蓋部材１１の一方の端部はヒンジ１２３を介して上筐体１２に取り付けられたままとなっており、蓋部材１１は上筐体１２から分離しない。従って、収納空間Ｓａの開閉作業、及び、収納空間Ｓａに収納される吸湿部材１６の交換作業を簡便に行うことができる。
【００８５】
なお、掛止部１１２及びリブ１２２の形成位置は図７とは逆であってもよい。すなわち、蓋部材１１にリブ１１２が形成され、上筐体１２に掛止部１１２が形成されてもよい。
【００８６】
また、掛止部１１２の数は、図７のように１つであってもよいが、複数であってもよい。たとえば、蓋部材１１に複数の掛止部１１２が形成され、上筐体１２に各掛止部１１２が掛止されるリブ１２２が形成されていてもよい。この際、リブ１２２の数は複数の掛止部１１２と同数又は異なる数の複数であってもよい。こうすれば、収納空間Ｓａを閉じる際、掛止部１１２及びリブ１２２間の掛止を複数の箇所で行うことができる。従って、収納空間Ｓａの気密性をより高めることができる。
【００８７】
また、蓋部材１１の一方の端部をヒンジ１２３を介して上筐体１２に取り付ける構造に代えて、掛止部１１２及びリブ１２２間の掛止構造を採用してもよい。すなわち、蓋部材１１の対向する両端部においてける掛止部１１２をリブ１２２に掛止する構造により、蓋部材１１を上筐体１２に取り付けて、収納空間Ｓａを閉じてもよい。こうすれば、簡易な構造で収納空間Ｓａを開閉可能に閉じることができる。
【００８８】
以上に説明した本実施形態によれば、防湿筐体１は、筐体本体１０は蓋部材１１が回動可能に取り付けられる上筐体１２をさらに有する構成とされる。
【００８９】
この構成によれば、蓋部材１１の回動により収納空間Ｓａを開空間にすることができる。また、この際、蓋部材１１を上筐体１２から分離しないようにできる。よって、収納空間Ｓａの開閉作業、及び、収納空間Ｓａに収納される吸湿部材１６の交換作業を簡便に行うことができる。
【００９０】
さらに、上記構成の防湿筐体１において、蓋部材１１及び上筐体１２の一方にリブ１２２が設けられ、リブ１２２に掛止される掛止部１１２が他方に設けられる構成とされる。
【００９１】
この構成によれば、リブ１２２に掛止部１１２を掛止することにより、収納空間Ｓａを閉じることができる。また、リブ１２２及び掛止部１１２間の掛止を解除することにより、収納空間Ｓａを開けることができる。従って、収納空間Ｓａの開閉作業をより容易に行うことができる。
【００９２】
＜第３実施形態＞
次に、第３実施形態について説明する。なお、以下では、第１及び第２実施形態と異なる構成について説明する。また、第１及び第２実施形態と同様の構成要素には同じ符号を付し、その説明を省略する。
【００９３】
図８は、第３実施形態に係る防湿筐体１の構成例を示す外観斜視図である。なお、図８では、要部の構成を見易くするために、下筐体１３及び螺子１９ｂなどの図示を割愛している。
【００９４】
図８に示すように、蓋部材１１は円筒形状の側壁を有し、該側壁の内側には螺旋状の溝１１３が形成されている。以下、螺旋状の溝１１３を雌螺子溝１１３と呼ぶ。また、蓋部材１１の内側の空間の底面１１ａ（すなわち蓋部材１１の上壁の裏面１１ａ）には環状のパッキン１５ａが配置されている。
【００９５】
上筐体１２には、環状の突条１２４が突設されている。以下、環状の突条１２４を周壁１２４と呼ぶ。周壁１２４の内側の空間は、吸湿部材１６が収納される収納空間Ｓａの少なくとも一部である。また、周壁１２４の外周面には、雌螺子溝１１３に螺合可能な螺旋状の溝１２４ａが形成されている。以下、螺旋状の溝１２４ａを雄螺子溝１２４ａと呼ぶ。
【００９６】
雌螺子溝１１３に雄螺子溝１２４ａを螺合することにより、蓋部材１１を上筐体１２に螺着して、収納空間Ｓａを閉じることができる。また、上記螺着を解除すれば、収納空間Ｓａを開けることができる。
【００９７】
また、蓋部材１１を上筐体１２に螺着した状態では、周壁１２４の上面１２４ｂが蓋部材１１の底面１１ａに設けられた環状のパッキン１５ａと密着して当接する。すなわち、パッキン１５ａは蓋部材１１及び上筐体１２間に挟み込まれて、収納空間Ｓａを密閉してその気密性を維持する。
【００９８】
こうすれば、雌螺子溝１１３に対する雄螺子溝１２４ａの螺着により収納空間Ｓａの開閉可能に閉じることができる。また、上記螺着を解除すれば、収納空間Ｓａを容易に開けることもできる。従って、収納空間Ｓａの開閉作業がよりし易くなる。
【００９９】
なお、収納空間Ｓａを密閉してその気密性を維持する環状のパッキン１５ａは、図８の例示に限定されず、蓋部材１１の側壁の全周に沿って、該側壁の内側面上（たとえば雌螺子溝１１３上）に設けられていてもよい。或いは、環状のパッキン１５ａが周壁１２４の上面１２４ｂ上に該周壁１２４の全周に沿って設けられてもよいし、帯状のパッキン１５ａが周壁１２４の雄螺子溝１２４ａ上に該周壁１２４の全周に沿って設けられてもよい。若しくは、パッキン１５ａの代わりに、たとえばテフロン（登録商標）などの樹脂材料を用いた帯状の封止部材（所謂シールテープなど）が採用されてもよい。この場合、該封止部材を雄螺子溝１２４ａ上に該周壁１２４の全周に沿って巻き付けた状態で蓋部材１１を上筐体１２に螺着することによって、収納空間Ｓａは密閉できる。これらの構成であっても、雌螺子溝１１３に対する雄螺子溝１２４ａの螺着により収納空間Ｓａを良好に密閉してその気密性を維持することができる。
【０１００】
以上に説明した本実施形態によれば、防湿筐体１は、筐体本体１０は蓋部材１１が螺着される上筐体１２をさらに有する構成とされる。
【０１０１】
この構成によれば、蓋部材１１を上筐体１２に螺着することにより収納空間Ｓａを閉じることができる、また、該螺着を解除することにより収納空間Ｓａを開けることができる。従って、収納空間Ｓａの開閉作業を簡便に行うことができる。
【０１０２】
＜第４実施形態＞
次に、第４実施形態について説明する。なお、以下では、第１〜第３実施形態と異なる構成について説明する。また、第１〜第３実施形態と同様の構成要素には同じ符号を付し、その説明を省略する。
【０１０３】
図９は、第４実施形態に係る防湿筐体１の構成例を示す断面図である。図１０は、吸湿部材１６を内包する防湿容器１７の構成例を示す断面斜視図である。また、図９は、たとえば図３のＡ−Ａ線に沿う断面に対応している。
【０１０４】
防湿容器１７は、たとえばアルミラミネートシートを用いて形成された防湿袋であり、吸湿部材１６を内包している。この防湿容器１７の厚さＤ１は、図１０に示すように、吸湿部材１６の厚さＤ２よりも厚くなっている（Ｄ１＞Ｄ２）。防湿容器１７は、その開封前において真空状態又は乾燥した気体（たとえばＮ2ガス、Ａｒガスなど）が封入された状態下で吸湿部材１６を封止してその吸湿を防止する。なお、防湿容器１７の構成はこの例示に限定されない。防湿容器１７は、透湿性が非常に低い材料を用いて形成されていてもよいし、透湿性が非常に低い固体層を含む多層構造を有していてもよい。固体層は、金属材料、セラミック材料などの無機材料を用いて形成できる。また、防湿容器１７の形状も特には限定されないが、防湿容器１７はたとえば箱状に成形されていてもよい。
【０１０５】
吸湿部材１６を内包する防湿容器１７は、仕切部１４の主面１４ａ（すなわち収納空間Ｓａの底面）に設置される。なお、防湿容器１７を設置する手段は特に限定されない。防湿容器１７は、接着剤を用いて張り付けられてもよいし、たとえば吸湿部材１６の封止に影響しない部分（端部など）のねじ止めによって螺設されてもよい。
【０１０６】
次に、図９に示すように、蓋部材１１の裏面１１ａには、突起部１８が突設されている。なお、突起部１８は、蓋部材１１と一体に形成される部材であってもよいし、蓋部材１１に取り付けられる別体の部材であってもよい。突起部１８が一体の部材であれば突起部１８を容易に設けることができるし、突起部１８が別体の部材であれば突起部１８が破損しても部材を交換したり蓋部材１１から取り外して修繕したりすることができる。また、突起部１８の数は、１つであってもよいし、複数であってもよい。
【０１０７】
突起部１８は、収納空間Ｓａが閉じられた状態において、防湿容器１７を開封可能な開封部材であり、収納空間Ｓａ内において防湿容器１７、及び吸湿部材１６の表面１６ａに対向する位置に設けられる。突起部１８は、収納空間Ｓａを閉じる際に防湿容器１７を開封する。すなわち、突起部１８は、蓋部材１１を上筐体１２に取り付ける際、防湿容器１７を貫通して該防湿容器１７に開口１７ａを形成する。従って、防湿容器１７の内部は収納空間Ｓａに連通し、吸湿部材１６は吸湿を開始する。
【０１０８】
突起部１８の突出方向の長さＬは、防湿筐体１を組み立てた状態（図９参照）において、蓋部材１１及び防湿容器１７間の最短距離ｄ１よりも長くなっているが、蓋部材１１及び吸湿部材１６間の最短距離ｄ２よりも短くなっている。そのため、収納空間Ｓａを閉じる際に、突起部１８は、防湿容器１７を貫通して防湿容器１７の内部に挿通されるが、吸湿部材１６には当接又は貫入されない。従って、吸湿部材１６を変形又は破損することなく、防湿容器１７をより確実に開封することができる。
【０１０９】
なお、図９及び図１０では、防湿容器１７の厚さＤ１を吸湿部材１６の厚さＤ２よりも厚くすることによって、防湿容器１７を開封する際に突起部１８が吸湿部材１６に当接又は貫入されることを防止しているが、本発明はこの例示に限定されない。図１１は、第４実施形態に係る防湿筐体１の他の構成例を示す断面図である。図１２は、吸湿部材１６を内包する防湿容器１７の他の構成例を示す断面斜視図である。なお、図１１は、たとえば図３のＡ−Ａ線に沿う断面に対応している。
【０１１０】
図１１及び図１２に示すように、突起部１８に対向する吸湿部材１６の主面１６ａには、凹部１６ｂが形成されていてもよい。なお、凹部１６ｂの数は、１つであってもよいし、複数であってもよい。この場合、防湿容器１７は、収納空間Ｓａが閉じられた状態において、凹部１６ｂが突起部１８に対向する位置に設けられる。突起部１８の突出方向の長さＬは、防湿筐体１を組み立てた状態（図１１参照）において、蓋部材１１及び吸湿部材１６間の最短距離ｄ２よりも長くなっているが、該最短距離ｄ２に凹部１６ｂの深さΔｄを加えた距離（ｄ２＋Δｄ）よりも短くなっている。そのため、収納空間Ｓａを閉じる際に、突起部１８は、防湿容器１７を貫通して吸湿部材１６の凹部１６ｂ内に挿入されるが、吸湿部材１６には当接又は貫入されない。従って、吸湿部材１６を変形又は破損することなく、防湿容器１７をより確実に開封することができる。さらに、突起部１８が防湿容器１７に突き刺さり易くなるため、防湿容器１７の厚さＤ１を図１０の場合よりも薄くすることができる。従って、吸湿部材１６を内包する防湿容器１７の設置に要する空間を低減することができる。
【０１１１】
以上に説明した本実施形態によれば、防湿筐体１は、吸湿部材１６を内包する防湿容器１７を開封可能な突起部１８（開封部材）をさらに備え、突起部１８は収納空間Ｓａ内に設けられる構成とされる。
【０１１２】
この構成によれば、収納空間Ｓａ内で吸湿部材１６の吸湿を開始させることができる。そのため、大気中での暴露の際に消費されてしまう吸湿部材１６の無用な吸湿を防止でき、吸湿部材１６の吸湿性能を安定させてその信頼性を向上させることもできる。よって、吸湿部材１６は内部空間から収納空間に透過する水蒸気を効率良く安定して吸湿できるので、内部空間Ｓｂでの湿度上昇及び結露の発生を防止することができる。
【０１１３】
また無用な吸湿量を考慮した吸湿性能を有する吸湿部材１６を選択しなくてもよいため、より小型且つ安価な吸湿部材１６を用いることができる。また、防湿筐体１を組み立てる作業環境の影響を防止できるため、低湿環境設備などが不要になる。よって、安価な防湿筐体１を実現することができる。
【０１１４】
また、上記構成の防湿筐体１において、突起部１８は収納空間Ｓａを閉じる際に防湿容器１７を開封する構成とされる。
【０１１５】
この構成によれば、収納空間Ｓａを閉じる工程において防湿容器１７を開封できるので、製造工程を簡略化できる。
【０１１６】
さらに、上記構成の防湿筐体１において、開封部材は突起部１８である構成とされる。この突起部１８は防湿容器１７に対向して配置される。
【０１１７】
この構成によれば、突起部１８が防湿容器１７を貫通することにより、防湿容器１７を開封できる。また、吸湿部材１６を内包する防湿容器１７の外観はその開封前後で変化する（たとえば開口１７ａが形成される）。従って、使用後の吸湿部材１６を誤って使用してしまうなど問題を生じ難くすることができる。
【０１１８】
なお、第４実施形態では吸湿部材１６を内包する防湿容器１７が収納空間Ｓａに収納される構成を説明したが、この構成は該防湿容器１７が内部空間Ｓｂに収納される構成に適用することも可能である。以下では、その適用例について図面を参照して説明する。
【０１１９】
＜防湿容器１７が内部空間Ｓｂに収納される場合の適用例＞
特許文献１のようにむき出しの吸湿部材を気密筐体の内部空間に配置する場合、通常、吸湿部材は防湿容器から取り出された後に配置される。この際、吸湿部材は大気に曝された状態であるため、防湿容器から取り出した時点から吸湿部材は吸湿を開始してしまう。そのため、気密筐体を組み立てて密閉する迄に、吸湿部材が大気に曝されて、無用な吸湿量が消費されてしまう。また、気密筐体を組み立てる環境の違い及び組み立て時間の違いにより、密閉後の吸湿部材の吸湿可能量にばらつきが生じる。従って、設計時の吸湿可能期間内に吸湿部材の吸湿能力が不足して吸湿容量を越える恐れがある。吸湿能力が不足すると、気密筐体の内部を低い湿度で維持することはできなくなる。よって、内部空間での湿度上昇及び結露が発生し易くなる。
【０１２０】
これらを回避するため、吸湿部材の吸湿能力をより大きくすると、吸湿部材のサイズもより大きいサイズの吸湿部材が必要となる。そのため、吸湿部材が内部空間を占める容積の増大により省スペース化ができなくなり、製造コストも高くなる。また、吸湿部材を気密筐体内に配置する作業を低湿環境下で行っても、吸湿量の無駄な消費を軽減できるが、作業環境を低い湿度に維持することは非常に難しい。さらに、低湿環境下での作業を可能にするためには、設備及び作業工数の増加を要するため、製造コストが増大してしまう。以下に説明する適用例はこのような状況を鑑みてなされたものである。
【０１２１】
（第１適用例）
まず、第１適用例について説明する。なお、以下では、第１〜第４実施形態と異なる構成について主に説明する。また、第１〜第４実施形態と同様の構成要素には同じ符号を付し、その説明を省略する。
【０１２２】
図１３は、第１適用例に係る防湿筐体１の構成例を示す外観斜視図である。図１４は、第１適用例に係る防湿筐体１の構成例を示す分解斜視図である。図１５Ａは、第１適用例に係る防湿筐体１の組み立て前の状態を示す断面図である。図１５Ｂは、第１適用例に係る防湿筐体１の組み立て後の状態を示す断面図である。なお、図１５Ａ及び図１５Ｂは、図１３のＢ−Ｂ線に沿う断面を示している。
【０１２３】
防湿筐体１は、筐体本体１０と、パッキン１５ｂと、螺子１９ｂと、を有している。筐体本体１０は上筐体１２及び下筐体１３を含んで構成される。上筐体１２及び下筐体１３は剛性を有する成形体である。上筐体１２及び下筐体１３はたとえばＰＰＳ（Polyphenylenesulfide）にガラスフィラーを含有した複合樹脂材料を用いて形成される。なお、上筐体１２及び下筐体１３を形成する材料は上述の例示に限定されない。上筐体１２及び下筐体１３を形成する材料は、気体（特に湿気となる水蒸気）の透過性の非常に低い材料であればよい。たとえば、低透湿性の樹脂材料であってもよいし、金属材料であってもよい。
【０１２４】
上筐体１２は、窓部１ａが形成された第２筐体部である。上筐体１２は、螺子１９ｂが上筐体１２の貫通孔１２１を通じて下筐体１２の螺子孔１３０に螺合されることにより、パッキン１５ｂを介して下筐体１３に螺設される。
【０１２５】
下筐体１３は、第３筐体部であり、その上面１３ａ（内部空間Ｓｂに面する主面１３ａ）に光学ユニット２及びピンホルダ１３１が配置されている。なお、ピンホルダ１３１はグランドピン４ａの保持部材である。グランドピン４ａは、下筐体１３を厚さ方向に貫通するハーメチック金属線であり、光学ユニット２の外装（不図示）上に配置される回路基板４の配線パターン（不図示）と電気的に接続される。グランドピン４ａの一方端は回路基板４の上面４ａから突出している。
【０１２６】
また、上筐体１２はその内部に内部空間Ｓｂを有する。この内部空間Ｓｂは、上筐体１２がパッキン１５ｂを介して下筐体１３に螺設されることによって密閉されて閉空間となる。内部空間Ｓｂは、防湿筐体１が組み立てられた状態において、光学ユニット２、ピンホルダ１３１、回路基板４、及びグランドピン４ａの一部を収納する。
【０１２７】
なお、内部空間Ｓｂは、図１３〜図１５Ｂでは上筐体１２の内部に形成される空間となっているが、本発明はこの例示に限定されない。内部空間Ｓｂは、防湿筐体１が組み立てられた状態において上筐体１２及び下筐体１３の少なくとも一方の内部に形成される空間であればよい。すなわち、内部空間Ｓｂはたとえば、上筐体１２の内部に形成される空間と下筐体１３の内部に形成される空間とで構成されてもよいし、下筐体１３の内部に形成される空間であってもよい。
【０１２８】
また、内部空間Ｓｂは吸湿部材１６を内包する防湿容器１７（図１２参照）も収納している。吸湿部材１６のグランドピン４ａに対向する主面１６ａには、凹部１６ｂが形成されている。なお、凹部１６ｂの数は、１つであってもよいし、複数であってもよい。
【０１２９】
防湿容器１７は、たとえばアルミラミネートシートを用いて形成された防湿袋である。防湿容器１７は、その開封前において真空状態又は乾燥した気体（たとえばＮ2ガス、Ａｒガスなど）が封入された状態下で吸湿部材１６を封止してその吸湿を防止する。なお、防湿容器１７の構成はこの例示に限定されない。防湿容器１７は、透湿性が非常に低い材料を用いて形成されていてもよいし、透湿性が非常に低い固体層を含む多層構造を有していてもよい。固体層は、金属材料、セラミック材料などの無機材料を用いて形成できる。また、防湿容器１７の形状も特には限定されないが、防湿容器１７はたとえば箱状に成形されていてもよい。
【０１３０】
吸湿部材１６を内包する防湿容器１７は、上筐体１２の内面１２ｂ（すなわち内部空間Ｓｂの天面）に設置される。なお、防湿容器１７を設置する手段は特に限定されない。防湿容器１７は、接着剤を用いて張り付けられてもよいし、たとえば吸湿部材１６の封止に影響しない部分（端部など）のねじ止めによって螺設されてもよい。
【０１３１】
また、吸湿部材１６を内包する防湿容器１７は、吸湿部材１６の凹部１６ｂがグランドピン４ａの一方端に対向する位置（図１５Ａ参照）に設置され、内部空間Ｓｂが閉じられる際にグランドピン４ａの一方端により開封される（図１５Ｂ参照）。すなわち、グランドピン４ａは、内部空間Ｓｂ内に設けられて防湿容器１７を開封可能な開封部材として機能する。この際、グランドピン４ａは、図１５Ｂに示すように防湿容器１７を貫通して該防湿容器１７に開口１７ａを形成する。こうすれば、開封部材を新たに設けることなく、既存の構成要素を用いて防湿容器１７を開封することができる。従って、防湿容器１７の内部が内部空間Ｓｂに連通し、内部空間Ｓｂ内で吸湿部材１６は吸湿を開始することができる。
【０１３２】
回路基板４の上面４ａから突出するグランドピン４ａの一方端の突出方向の長さＬは、防湿筐体１を組み立てた状態において、吸湿部材１６及び回路基板４間の最短距離ｄ３よりも長くなっているが、該最短距離ｄ３に凹部１６ｂの深さΔｄを加えた距離（ｄ３＋Δｄ）よりも短くなっている。そのため、内部空間Ｓｂを閉じる際に、グランドピン４ａは、防湿容器１７を貫通して吸湿部材１６の凹部１６ｂ内に挿通されるが、吸湿部材１６には当接又は貫入しない。従って、吸湿部材１６を変形又は破損することなく、防湿容器１７をより確実に開封することができる。
【０１３３】
以上に説明した適用例によれば、防湿筐体１は、吸湿部材１６が設けられる内部空間Ｓｂを有する筐体本体１０と、吸湿部材１６を内包する防湿容器１７を内部空間Ｓｂ内で開封可能な突起部（開封部材）として機能するグランドピン４ａと、を備える。
【０１３４】
この構成によれば、内部空間Ｓｂ内で防湿容器１７を開封して、吸湿部材１６を大気に曝すことなく、内部空間Ｓｂ内で吸湿部材１６の吸湿を開始させることができる。従って、大気中での暴露の際に消費されてしまう吸湿部材１６の無用な吸湿を防止でき、吸湿部材１６の吸湿性能を安定させてその信頼性を向上させることもできる。よって、吸湿部材１６は内部空間Ｓｂにて効率良く安定して吸湿できるので、内部空間Ｓｂでの湿度上昇及び結露の発生を防止することができる。
【０１３５】
また無用な吸湿量を考慮した吸湿性能を有する吸湿部材１６を選択しなくてもよいため、より小型且つ安価な吸湿部材１６を用いることができる。また、防湿筐体１を組み立てる作業環境の影響を防止できるため、低湿環境設備などが不要になる。よって、安価な防湿筐体１を実現することができる。
【０１３６】
（第２適用例）
次に、第２適用例について説明する。なお、以下では、第１〜第４実施形態及び第１適用例と異なる構成について説明する。また、第１〜第４実施形態及び第１適用例と同様の構成要素には同じ符号を付し、その説明を省略する。
【０１３７】
図１６Ａは、第２適用例に係る防湿筐体１の組み立て前の状態の要部を局所的に示す断面斜視図である。図１６Ｂは、第２適用例に係る防湿筐体１の組み立て後の状態の要部を局所的に示す断面斜視図である。
【０１３８】
図１６Ａに示すように、ピンホルダ１３１の上面１３１ａには、突起部１８が突設されている。この突起部１８は回路基板４に形成された開口を通じて吸湿部材１６の凹部１６ｂに向かって突出している。なお、突起部１８の数は、１つであってもよいし、複数であってもよい。特に、突起部１８の数は、吸湿部材１６に形成される凹部１６ｂと同数であることが好ましい。
【０１３９】
この突起部１８は、内部空間Ｓｂが閉じられた状態において防湿容器１７を開封可能な開封部材である（図１６Ｂ参照）。突起部１８は、内部空間Ｓｂ内において防湿容器１７（特に吸湿部材１６の凹部１６ｂ）に対向する位置に設けられ、収納空間Ｓａを閉じる際に防湿容器１７を開封する。すなわち、突起部１８は、上筐体１２を下筐体１３に螺設する際、防湿容器１７を貫通して該防湿容器１７に開口１７ａを形成する。従って、防湿容器１７の内部は収納空間Ｓａに連通し、吸湿部材１６は吸湿を開始する。
【０１４０】
突起部１８が回路基板４の上面４ａから突出する長さＬは、防湿筐体１を組み立てた状態において、吸湿部材１６及び回路基板４間の最短距離ｄ３よりも長くなっているが、該最短距離ｄ３に凹部１６ｂの深さΔｄを加えた距離（ｄ３＋Δｄ）よりも短くなっている。そのため、内部空間Ｓｂを閉じる際に、突起部１８は、防湿容器１７を貫通して吸湿部材１６の凹部１６ｂ内に挿通されるが、吸湿部材１６には当接又は貫入されない。従って、吸湿部材１６を変形又は破損することなく、防湿容器１７をより確実に開封することができる。
【０１４１】
なお、突起部１８は、ピンホルダ１３１と一体に形成される部材であってもよいし、ピンホルダ１３１に取り付けられる別体の部材であってもよい。突起部１８が一体の部材であれば突起部１８を容易に設けることができるし、突起部１８が別体の部材であれば突起部１８が破損しても部材を交換したりピンホルダ１３１から取り外して修繕したりすることができる。
【０１４２】
また、突起部１８は、常にピンホルダ１３１に突設されていてもよいし、ピンホルダ１３１に収納可能に突設されていてもよい。前者であれば突起部１８を容易に設けることができる。また、後者では、突起部１８はたとえば、上筐体１２を下筐体１３に螺設する際にピンホルダ１３１から突出するように設けられる。この場合、上記螺設の際以外では突起部１８をピンホルダ１３１から突出させないようできるので、内部空間Ｓｂをより有効に利用することができる。
【０１４３】
（第３適用例）
次に、第３適用例について説明する。以下では、第１〜第４実施形態及び第１〜第２適用例と異なる構成について説明する。また、第１〜第４実施形態及び第１〜第２適用例と同様の構成要素には同じ符号を付し、その説明を省略する。
【０１４４】
図１７Ａは、第３適用例において防湿容器１７を開封する前の防湿筐体１の状態を示す断面図である。図１７Ｂは、第３適用例において防湿容器１７を開封した後の防湿筐体１の状態を示す断面図である。なお、図１７Ａ及び図１７Ｂは、たとえば図１３のＢ−Ｂ線に沿う断面に対応している。
【０１４５】
図１７Ａ及び図１７Ｂに示すように、吸湿部材１６を内包する防湿容器１７は上筐体１２の上壁１２５の裏面１２ｂ（内部空間Ｓｂに面する主面１２ｂ）に配置されている。また、上筐体１２は、たとえばＰＣ（polycarbonate）などの比較的に柔軟性が高い樹脂材料で形成されている。従って、上筐体１２の上壁１２５は可撓性を有している。
【０１４６】
光学ユニット２の外装（不図示）の上面２ａには、突起部１８が突設されている。この突起部１８は、収納空間Ｓａが閉じられた状態において防湿容器１７を開封する開封部材であり、回路基板４に形成された開口（不図示）を通じて吸湿部材１６の凹部１６に向かって突出している。回路基板４の上面４ａから突出する突起部１８の突出方向の長さＬは、防湿筐体１を組み立て前の状態において、防湿容器１７及び回路基板４間の最短距離ｄ４よりも長くなっている（図１７Ａ参照）。そのため、この状態では、防湿容器１７は開封されない。
【０１４７】
次に、防湿筐体１を組み立て後の状態において上壁１２５の上面１２５ａ（外部空間に面する主面１２５ａ）を押圧すると、上壁１２５が凹む（図１７Ｂ参照）。そのため、防湿容器１７及び回路基板４間の最短距離ｄ４が短くなる。さらに、この最短距離ｄ４はさらに、上筐体１２の側壁が撓んだりパッキン１５ｂが押し潰されたりすることによっても短くなる。結果、上記最短距離は、回路基板４の上面４ａから突出する突起部１８の突出方向の長さＬよりも短くなる。従って、この状態において、突起部１８は、防湿容器１７を貫通して開口１７ａを形成し、吸湿部材１６の凹部１６ｂ内に挿入される。そして、防湿容器１７の内部が内部空間Ｓｂに連通し、吸湿部材１６が吸湿を開始する。
【０１４８】
こうすれば、防湿容器１７は、防湿筐体１を組み立てた状態（図１７Ａ）では開封されず、上筐体１２の上壁１２５を押圧して凹ませた状態（図１７Ｂ）になると開封される。従って、吸湿部材１６が吸湿を開始する時点を防湿筐体１の組立時点よりも後の任意の時点に設定できる。吸湿部材１６の吸湿効果が有効な期間をコントロールすることができる。
【０１４９】
なお、可撓性は上筐体１２のうちの少なくとも上壁１２５にあればよい。たとえば、上筐体１２のうち、上壁１２５を比較的に柔軟性が高い樹脂材料で形成し、他の部分を剛性を有する材料（フィラー含有ＰＰＳなどの複合樹脂材料）で形成してもよい。このようにしても、押圧により上壁１２５を凹ませて、防湿容器１７を開封することができる。
【０１５０】
以上に説明した適用例によれば、防湿筐体１は、筐体本体１０は可撓性を有する上壁１２５を含み、突起部１８は上壁１２５の変形に応じて防湿容器１７を開封する構成とされる。
【０１５１】
この構成によれば、内部空間Ｓｂを閉じた後、筐体本体１０の可撓性を有する部分を変形させることにより、防湿容器１７を開封できる。従って、吸湿部材１６の吸湿を任意のタイミングで開始させることができる。
【０１５２】
さらに、上記構成の防湿筐体１において、突起部１８は、たとえば防湿容器１７に対向して配置される開封部材であり、上壁１２５の変形に応じて突起部１８の先端が防湿容器１７に突き刺ささる位置に配置される構成とされる。
【０１５３】
この構成によれば、内部空間Ｓｂを閉じた後、筐体本体１０の可撓性を有する上壁１２５を変形させることにより、突起部１８を任意のタイミングで防湿容器１７に突き刺さして、防湿容器１７を開封できる。また、吸湿部材１６を内包する防湿容器１７の外観はその開封前後で変化する（たとえば開口１７ａが形成される）。従って、使用後の吸湿部材１６を誤って使用してしまうなど問題を生じ難くすることができる。
【０１５４】
以上、本発明の実施形態及び適用例について説明した。なお、上述の実施形態及び適用例は例示であり、その各構成要素や各処理の組み合わせに色々な変形が可能であり、本発明の範囲にあることは当業者に理解されるところである。
【０１５５】
たとえば、上述の第１〜第４実施形態では、吸湿部材１６は収納空間Ｓａの底面（仕切部１４の収納空間Ｓａに面する主面１４ａ）上に設置されているが、本発明はこれらの例示に限定されない。吸湿部材１６は、収納空間Ｓａの天面（蓋部材１１の裏面１１ａ）に配置されてもよいし、収納空間Ｓａの側面（上筐体１２の内側面１２ａ、或いは周壁１２４の内側面１２４ｃなど）に配置されてもよい。
【０１５６】
また、上述の第１〜第３適用例において、吸湿部材１６を内包する防湿容器１７、及び開封部材（たとえばグランドピン４ａ、突起部１８）の設置位置はこれらの例示に限定されない。防湿容器１７及び開封部材はそれぞれ、防湿筐体１が組み立てられる際に開封部材が該防湿容器１７を開封可能な位置に設置されていればよい。たとえば、防湿容器１７が光学ユニット２の外装の上面２ａ、下筐体１３の上面１３ａ、ピンホルダ１３１の上面１３１ａのいずれかに設置され、開封部材が内部空間Ｓｂの天面１２ｂに設置されてもよい。或いは、防湿容器１７が内部空間Ｓｂの天面１２ｂに設置され、開封部材が内部空間Ｓｂの底面１３ａに設置されてもよい
【０１５７】
また、上述の第１〜第３適用例では、図１２のような吸湿部材１６及び防湿容器１７を用いた構成を挙げて説明したが、本発明はこの例示に限定されない。たとえば、吸湿部材１６及び防湿容器１７は図１０のような構成であってもよい。
【０１５８】
また、上述の第４実施形態及び第１〜第３適用例では、突起部１８は吸湿部材１６と対向する位置に配置されているが、本発明はこれらの例示に限定されない。突起部１８（開封部材）は図１８に示すように吸湿部材１６に形成されていてもよい。こうすれば、防湿筐体１に突起部１８（開封部材）を新たに設ける必要が無いので、防湿筐体１を構成する部材の数を低減することができる。また、防湿筐体１を組み立てる際に、突起部１８を収納空間Ｓａ又は内部空間Ｓｂの内面、又は他の部材に押し付けることにより、第４実施形態及び第２適用例と同様に防湿容器１７を開封することができる。或いは、防湿筐体１の組み立て後に上筐体１２を凹ませる際に、吸湿部材１６上の突起部１８が収納空間Ｓａ又は内部空間Ｓｂの内面、又は他の部材に押し付けられるようにすれば、第３適用例と同様に防湿容器１７を開封することができる。
【０１５９】
また、上述の第３適用例の構成は上述の第１〜第４実施形態に適用することが可能である。たとえば、第１〜第４実施形態において、防湿筐体１は、筐体本体１０が可撓性を有する部分を含む構成とされてもよい。こうすれば、筐体本体１０を組み立てた後、筐体本体１０の可撓性を有する部分を変形させることにより、突起部１８により防湿容器１７を開封できる。従って、吸湿部材１６の吸湿を任意のタイミングで開始させることができる。
【０１６０】
また、上述の第１〜第４実施形態及び第１〜第３適用例では、本発明をプロジェクタユニット１０１の防湿筐体１に適用しているが、本発明の適用範囲はこの例示に限定されない。本発明は、内部空間での湿度上昇及び結露の発生を防止する構造の筐体、及びこれを有する装置などに適用可能である。
【符号の説明】
【０１６１】
１００              ヘッドアップディスプレイ装置（ＨＵＤ装置）
１０１                プロジェクタユニット
１０２                コンバイナ
１０２ａ                投射面
２００              車両
２０１                フロントガラス
３００              走査レーザ光
４００              ユーザの視線
１                    防湿筐体
１ａ                    窓部
Ｓ                      閉空間
Ｓａ                      収納空間
Ｓｂ                      内部空間
１０                    筐体本体
１１                      蓋部材
１１１                      貫通孔
１１２                      掛止部
１１３                      雌螺子溝
１２                      上筐体
１２０                      螺子孔
１２１                      貫通孔
１２２                      リブ
１２３                      ヒンジ
１２４                      周壁
１２４ａ                      雄螺子溝
１２５                      上壁
１３                      下筐体
１３０                      螺子孔
１３１                      ピンホルダ
１４                    仕切部
１５ａ、１５ｂ          パッキン
１６                    吸湿部材
１６ａ                    表面
１６ｂ                    凹部
１７                    防湿容器
１７ａ                    開口
１８                    突起部
１９ａ、１９ｂ          螺子
２                      光学ユニット
２ａ                      光学エンジン部
２ｂ                      ＭＥＭＳエンジン部
２１ａ〜２１ｃ          レーザダイオード（ＬＤ）
２２                    光学系
２２１ａ〜２２１ｃ        コリメータレンズ
２２２ａ、２２２ｂ        ビームスプリッタ
２２３                    集光レンズ
２３                    サーミスタ
２４ａ〜２４ｃ          冷却部
２５                    ＭＥＭＳミラーデバイス
４                    回路基板
４ａ                    グランドピン
５１                  外筐体
５１ａ                  光出射口
５２                  ＭＥＭＳドライバ
５３                  ＬＤドライバ
５４                  電源
５５                  電源制御部
５６                  操作部
５７                  入出力Ｉ／Ｆ
５８                  記憶部
５９                  ＣＰＵ
５９ａ                  映像処理部
５９ｂ                  光出力制御部
【図１】
2017076655.tif 000003
【図２】
2017076655.tif 000004
【図３】
2017076655.tif 000005
【図４】
2017076655.tif 000006
【図５】
2017076655.tif 000007
【図６】
2017076655.tif 000008
【図７】
2017076655.tif 000009
【図８】
2017076655.tif 000010
【図９】
2017076655.tif 000011
【図１０】
2017076655.tif 000012
【図１１】
2017076655.tif 000013
【図１２】
2017076655.tif 000014
【図１３】
2017076655.tif 000015
【図１４】
2017076655.tif 000016
【図１５Ａ】
2017076655.tif 000017
【図１５Ｂ】
2017076655.tif 000018
【図１６Ａ】
2017076655.tif 000019
【図１６Ｂ】
2017076655.tif 000020
【図１７Ａ】
2017076655.tif 000021
【図１７Ｂ】
2017076655.tif 000022
【図１８】
2017076655.tif 000023